(57)【特許請求の範囲】
【請求項１】
トラッキング・エリアでセルラ移動通信ネットワークを構成する方法であって、
前記少なくとも１つのトラッキング・エリアについて、関連付けられるべき少なくとも１つのトラッキング・エリアで構成された無線アクセス・ネットワーク体を、移動性管理機能および／またはページング調整機能を担う少なくとも１つの移動性管理体および／またはページング調整体に登録することを含み、前記登録が、
前記無線アクセス・ネットワーク体と前記少なくとも１つの移動性管理体および／またはページング調整体との間で登録要求／登録確認メッセージを交換することを含み、登録要求が、前記少なくとも１つの移動性管理体および／またはページング調整体によって受け付けられることができ、または拒否されることができる、方法。
【請求項２】
前記無線アクセス・ネットワーク体が拡張ノードＢ（ＥＮＢ）に対応し、前記移動性管理体および／またはページング調整体が移動性管理体（ＭＭＥ）に対応する、請求項１に記載の方法。
【請求項３】
前記登録がアプリケーション・レベルでの登録に対応する、請求項１または２に記載の方法。
【請求項４】
前記無線アクセス・ネットワーク体が、前記登録要求の送信のための少なくとも１つの宛先アドレスで構成される、請求項１乃至３のいずれか１項に記載の方法。
【請求項５】
前記登録が、
前記無線アクセス・ネットワーク体が、前記移動性管理体および／またはページング調整体へ登録要求を送信することを含む、請求項１乃至４のいずれか１項に記載の方法。
【請求項６】
前記登録が、
前記移動性管理体および／またはページング調整体による登録要求を受信すると、登録する前記ＲＡＮ体と前記移動性管理／ページング調整体との間の認証を実施することを含む、請求項１乃至５のいずれか１項に記載の方法。
【請求項７】
前記登録が、
前記移動性管理体および／またはページング調整体が、前記無線アクセス・ネットワーク体からの登録要求を受け付け、または拒否することを含む、請求項１乃至６のいずれか１項に記載の方法。
【請求項８】
前記登録が、
前記移動性管理体および／またはページング調整体が、前記無線アクセス・ネットワーク体へ登録確認メッセージを送信することを含む、請求項１乃至７のいずれか１項に記載の方法。
【請求項９】
前記登録が、
トラッキング・エリアについて無線アクセス・ネットワーク体からの登録要求を受け付けると、前記トラッキング・エリアに関連する無線アクセス・ネットワーク体リストに、無線アクセス・ネットワーク体アドレスを、前記登録要求メッセージ内の情報に依存して追加または削除することによって、前記移動性管理体および／またはページング調整体を構成することを含む、請求項１乃至５のいずれか１項に記載の方法。
【請求項１０】
移動通信ネットワーク用の無線アクセス・ネットワーク体であって、
少なくとも１つのトラッキング・エリアについて、前記無線アクセス・ネットワーク体を、移動性管理機能および／またはページング調整機能を担う少なくとも１つの移動性管理体および／またはページング調整体に登録するよう動作するものであり、前記無線アクセス・ネットワーク体は関連付けられるべきものであり、前記登録が、
前記少なくとも１つの移動性管理体および／またはページング調整体と登録要求／登録確認メッセージを交換することを含み、登録要求が、前記少なくとも１つの移動性管理体および／またはページング調整体によって受け付けられることができる、または拒否されることができる、無線アクセス・ネットワーク体。
【請求項１１】
前記無線アクセス・ネットワーク体が拡張ノードＢ（ＥＮＢ）に対応し、前記移動性管理体および／またはページング調整体が移動性管理体（ＭＭＥ）に対応する、請求項１０に記載の無線アクセス・ネットワーク体。
【請求項１２】
前記登録がアプリケーション・レベルでの登録に対応する、請求項１０または１１に記載の無線アクセス・ネットワーク体。
【請求項１３】
前記登録が、
前記移動性管理体および／またはページング調整体に登録要求を送信することを含む、請求項１０乃至１２のいずれか１項に記載の無線アクセス・ネットワーク体。
【請求項１４】
前記登録が、
前記移動性管理体および／またはページング調整体による登録要求を受信すると、認証を実施することを含む、請求項１０乃至１３のいずれか１項に記載の無線アクセス・ネットワーク体。
【請求項１５】
移動性管理機能および／またはページング調整機能を担う、移動通信ネットワークの移動性管理体および／またはページング調整体であって、
少なくとも１つのトラッキング・エリアについて、関連付けられるべき前記少なくとも１つのトラッキング・エリアで構成された無線アクセス・ネットワーク体を前記移動性管理体および／またはページング調整体に登録するよう動作するものであり、前記登録が、
前記無線アクセス・ネットワーク体と登録要求／登録確認メッセージを交換することを含み、登録要求が、前記少なくとも１つの移動性管理体および／またはページング調整体によって受け付けられることができる、または拒否されることができる、移動性管理体および／またはページング調整体。
【請求項１６】
前記無線アクセス・ネットワーク体が拡張ノードＢ（ＥＮＢ）に対応し、前記移動性管理体および／またはページング調整体が移動性管理体（ＭＭＥ）に対応する、請求項１５に記載の移動性管理体および／またはページング調整体。
【請求項１７】
前記登録がアプリケーション・レベルでの登録に対応する、請求項１５または１６に記載の移動性管理体および／またはページング調整体。
【請求項１８】
前記登録が、
前記無線アクセス・ネットワーク体から登録要求を受信することを含む、請求項１５乃至１７のいずれか１項に記載の移動性管理体および／またはページング調整体。
【請求項１９】
前記登録が、
前記無線アクセス・ネットワーク体から登録要求を受信すると認証を実施することを含む、請求項１５乃至１８のいずれか１項に記載の移動性管理体および／またはページング調整体。
【請求項２０】
前記登録が、
前記無線アクセス・ネットワーク体からの登録要求を受け付ける、または拒否することを含む、請求項１５乃至１９のいずれか１項に記載の移動性管理体および／またはページング調整体。
【請求項２１】
前記登録が、
登録確認メッセージを前記無線アクセス・ネットワーク体へ送信することを含む、請求項１５乃至２０のいずれか１項に記載の移動性管理体および／またはページング調整体。
【請求項２２】
前記登録が、
登録要求を受け付けると、前記トラッキング・エリアに関連する無線アクセス・ネットワーク体リストに、無線アクセス・ネットワーク体アドレスを、前記登録要求メッセージ内の情報に依存して追加または削除することによって、前記移動性管理および／またはページング調整体を構成することを含む、請求項１５乃至２１のいずれか１項に記載の移動性管理体および／またはページング調整体。
【発明の詳細な説明】
【技術分野】
【０００１】
本発明は、一般には、移動通信ネットワークに関する。
【背景技術】
【０００２】
一般に移動通信ネットワークは、標準化の対象となり、したがって、こうしたネットワークに関する詳細は、対応する標準化機関によって公表された、対応する規格で見ることができる。
【０００３】
こうしたネットワークは通常、無線アクセス・ネットワーク（ＲＡＮ：Ｒａｄｉｏ  Ａｃｃｅｓｓ  Ｎｅｔｗｏｒｋ）とコア・ネットワーク（ＣＮ：Ｃｏｒｅ  Ｎｅｔｗｏｒｋ）とを含み、通常、階層アーキテクチャを有する。
【０００４】
たとえば、図１で想起されるように、ＧＳＭ（それぞれＵＭＴＳ）では、基地局（ＢＳ：Ｂａｓｅ  Ｓｔａｔｉｏｎ）（それぞれＮｏｄｅ  Ｂ）などのＲＡＮノードは階層的に、基地局制御装置（ＢＳＣ：Ｂａｓｅ  Ｓｔａｔｉｏｎ  Ｃｏｎｔｒｏｌｌｅｒ）（それぞれ無線ネットワーク制御装置（ＲＮＣ：Ｒａｄｉｏ  Ｎｅｔｗｏｒｋ  Ｃｏｎｔｒｏｌｌｅｒ））などのＲＡＮノードに接続される。同様に、ＢＳＣ（それぞれＲＮＣ）などのＲＡＮノードは、次いで回路交換（ＣＳ：Ｃｉｒｃｕｉｔ−Ｓｗｉｔｃｈｅｄ）領域のゲートウェイ移動交換局（ＧＭＳＣ：Ｇａｔｅｗａｙ  Ｍｏｂｉｌｅ  Ｓｗｉｔｃｈｉｎｇ  Ｃｅｎｔｅｒ）や、パケット交換（ＰＳ：Ｐａｃｋｅｔ−Ｓｗｉｔｃｈｅｄ）領域のゲートウェイＧＰＲＳサポート・ノード（ＧＧＳＮ：Ｇａｔｅｗａｙ  ＧＰＲＳ  Ｓｕｐｐｏｒｔ  Ｎｏｄｅ）などの他のＣＮノードに階層的に接続された移動交換局／ビジター・ロケーション・レジスタ（ＭＳＣ／ＶＬＲ：Ｍｏｂｉｌｅ  Ｓｗｉｔｃｈｉｎｇ  Ｃｅｎｔｅｒ／Ｖｉｓｉｔｏｒ  Ｌｏｃａｔｉｏｎ  Ｒｅｇｉｓｔｅｒ）（ＣＳ領域）や、サービングＧＰＲＳサポート・ノード（ＳＧＳＮ：Ｓｅｒｖｉｎｇ  ＧＰＲＳ  Ｓｕｐｐｏｒｔ  Ｎｏｄｅ）（ＰＳ領域）などのＣＮノードに階層的に接続される。ＢＳ／Ｎｏｄｅ  ＢなどのＲＡＮノードは、具体的には示されていないが、移動局（ＭＳ：Ｍｏｂｉｌｅ  Ｓｔａｔｉｏｎ）（それぞれユーザ機器（ＵＥ：Ｕｓｅｒ  Ｅｑｕｉｐｅｍｅｎｔ））と無線インターフェースを介して通信する。ＧＭＳＣ／ＧＧＳＮなどのＣＮノードは、具体的には示されていないが、他のネットワークと通信する。
【０００５】
通常、ＭＳＣ／ＶＬＲおよび／またはＳＧＳＮなどのＣＮノードは、特に移動性管理（ＭＭ：Ｍｏｂｉｌｉｔｙ  Ｍａｎａｇｅｍｅｎｔ）機能およびページング調整（ＰＣ：Ｐａｇｉｎｇ  Ｃｏｏｒｄｉｎａｔｉｏｎ）機能を含めて、複数の機能を担う。
【０００６】
移動性管理（ＭＭ）機能は、接続に能動的には関与していないＭＳ／ＵＥ（特にアイドル・モードのＭＳ／ＵＥ）について、１組のセルからなるエリア（通常、位置エリア（ＬＡ：Ｌｏｃａｔｉｏｎ  Ａｒｅａ）またはルーティング・エリア（ＲＡ：Ｒｏｕｔｉｎｇ  Ａｒｅａ）と呼ばれる）の精度でＭＳ／ＵＥ位置を追跡し、ホーム・ロケーション・レジスタ（ＨＬＲ：Ｈｏｍｅ  Ｌｏｃａｔｉｏｎ  Ｒｅｇｉｓｔｅｒ）やホーム加入者サーバ（ＨＳＳ：Ｈｏｍｅ  Ｓｕｂｓｃｒｉｂｅｒ  Ｓｅｒｖｅｒ）など、加入者データベース内に保持された加入者データを使用して、前記ＬＡ／ＲＡのべースでユーザ・アクセス権をチェックすることを含む。
【０００７】
ページング調整（ＰＣ）機能は、たとえば入ってくる呼またはセッションのためにＭＳ／ＵＥと接触する必要がある場合、ＭＳ／ＵＥが登録された最後のＬＡ／ＲＡを介してページング・メッセージを送信するのに適したＲＡＮノードと接触することを含む。
【０００８】
各セルでは、あるセルから別のセルに移動しているＭＳ／ＵＥがＬＡ／ＲＡが変化したかどうか知ることができるように、対応するＬＡ／ＲＡが無線インターフェース上でブロードキャストされる。ＬＡ／ＲＡが変化したとき、ＭＭ手順（位置更新手順など）が、ＭＳ／ＵＥを新しいＬＡ／ＲＡに登録するために実施される。
【０００９】
ＬＡ／ＲＡ構成は、ネットワーク最適化、特にネットワーク内のシグナリング・トラフィック量の最適化、特に移動性管理およびページング調整機能にとって重要である。ＬＡ／ＲＡ構成は一般に、運用＆保守（Ｏ＆Ｍ：Ｏｐｅｒａｔｉｏｎ  ＆  Ｍａｉｎｔｅｎａｎｃｅ）操作によって実施される。
【００１０】
たとえば図１で想起される階層アーキテクチャでは、こうしたＬＡ／ＲＡ構成は通常２つの操作を含み、すなわち、ＬＡ／ＲＡとＢＳＣ／ＲＮＣノードの間のマッピングが、ＣＮ内のＯ＆Ｍによって構成され、所与のＬＡ／ＲＡに属するセルのセットが、ＢＳＣ／ＲＮＣ内のＯ＆Ｍによって構成される。
【００１１】
たとえば新しいＢＳ／Ｎｏｄｅ  Ｂが追加されまたは削除されるときなど、ＲＡＮ構成に変更が生じる度に、ＲＡＮオペレータは、それに応じてＲＡＮノード（ＢＳＣ／ＲＮＣ）を構成しなければならない。これは、ＣＮ構成には影響を及ぼさず、すなわち、ＣＮオペレータは、ＢＳＣ／ＲＮＣによって制御された少なくとも１つのセルが既存のＬＡ／ＲＡ内にある場合には、ＣＮノード（ＭＳＣ／ＳＧＳＮ）をそれに応じて構成する必要はない。換言すると、ＲＡＮノードの構成は比較的頻繁に変化し得るが、上記で想起された階層アーキテクチャでは、ＣＮノードは、永久的または半永久的に構成することができる。
【００１２】
現在、こうしたネットワークのアーキテクチャが次世代ネットワークへと進化している。こうした次世代ネットワークのアーキテクチャの一例が図２に示されている。設定遅延およびユーザ・プレーン待ち時間を減少させるために、上記で想起された階層アーキテクチャから「フラット」アーキテクチャへと進む傾向、換言すると、「中間」ノード（上記で想起された階層アーキテクチャ内のＢＳＣ／ＲＮＣなど）の数を減らす傾向がある。特に、ユーザ・プレーン内、恐らく制御プレーン内でも、ＧＧＳＮ−ＳＧＳＮ−ＢＳＣ／ＲＮＣ−ＢＳ／Ｎｏｄｅ  Ｂなどの４つのノードから、ＡＳＧＷ（Ａｃｃｅｓｓ  Ｓｙｓｔｅｍ  ＧａｔｅＷａｙ：アクセス・システム・ゲートウェイ）−ＥＮＢ（Ｅｎｈａｎｃｅｄ  Ｎｏｄｅ  Ｂ：拡張Ｎｏｄｅ  Ｂ）へと進む傾向がある。ＭＭ機能およびＰＣ機能（制御プレーン）は、ＡＳＧＷ、または別個のノード（図２にＭＭ／ＰＣと示されたノードなど）に収容することができる。ＰＣ機能は、ＣＮ内に置かれても、ＲＡＮ内に置かれてもよい。一般に、これらの機能が置かれ得る物理ネットワーク・ノードに関係なく、ＭＭ機能を担うネットワーク・エンティティは移動性管理エンティティ（ＭＭＥ：Ｍｏｂｉｌｉｔｙ  Ｍａｎａｇｅｍｅｎｔ  Ｅｎｔｉｔｙ）と呼ばれ、ＰＣ機能を担うネットワーク・エンティティはページング調整エンティティ（ＰＣＥ：Ｐａｇｉｎｇ  Ｃｏｏｒｄｉｎａｔｉｏｎ  Ｅｎｔｉｔｙ）と呼ばれる。ＥＮＢ、ＡＳＧＷ、ＭＭＥ、ＰＣＥなどのノードは、ＩＰベースのトランスポート・ネットワークまたはバックボーンによって相互接続される。
【００１３】
本発明によって認識されるように、次世代移動通信ネットワークのこうしたアーキテクチャでは、トラッキング・エリア（ＴＡは、特に上記で使用された用語ＬＡ／ＲＡをカバーする、より一般的な用語である）を用いてネットワークの構成を向上させ、かつ／または単純化することが求められている。
【００１４】
たとえば、ＰＣ機能がＣＮに置かれたアーキテクチャでは、ＥＮＢがＴＡに追加され、またはそこから削除される度に、ＣＮオペレータは、それに応じてＰＣＥ構成を変更せざるを得ない。換言すると、これによって、多数のＥＮＢアドレスがＣＮ内で構成され、ＣＮオペレータへの負荷が高くなり、特にこれらのＣＮオペレータおよびＲＡＮオペレータがそれぞれ異なる場合（たとえばＲＡＮネットワークが複数の異なるＣＮオペレータ間で共有される共有ネットワークの場合など）には、ＣＮ内とＲＡＮ内の構成操作間の協調が欠如するリスクが生じることになる。さらに換言すると、ＣＮノードは、上記で想起された階層アーキテクチャの場合とは反対に、永久的または半永久的には、もはや構成され得ない。
【発明の開示】
【発明が解決しようとする課題】
【００１５】
本発明は、特に、上述の問題の一部またはすべてを解決し、あるいは上述の欠点の一部またはすべてを回避することを可能にする。より一般的には、本発明は、特に移動性管理および／またはページング調整機能に関連して、ネットワーク構成操作を向上させ、かつ／または単純化することを可能にする。
【課題を解決するための手段】
【００１６】
これらおよび他の目的は、本発明の一態様では、トラッキング・エリアを用いてセルラ移動通信ネットワークを構成するための方法であって、
無線アクセス・ネットワーク・エンティティを、それが関連付けられるべき少なくとも１つのトラッキング・エリアを用いて構成するステップと、
前記少なくとも１つのトラッキング・エリアについて、このように構成された無線アクセス・ネットワーク・エンティティを移動性管理機能および／またはページング調整機能に登録するステップとを含む方法によって達成される。
【００１７】
第１の実施形態では、登録する前記ステップは、
前記少なくとも１つのトラッキング・エリアについて、前記無線アクセス・ネットワーク・エンティティが、前記移動性管理機能および／またはページング調整機能を担う少なくとも１つの移動性管理エンティティおよび／またはページング調整エンティティに登録するステップを含む。
【００１８】
前記第１の実施形態では、前記移動性管理エンティティおよび／またはページング調整エンティティに登録する前記ステップは有利には、
前記移動性管理エンティティおよび／またはページング調整エンティティに登録要求を送信するステップを含む。
【００１９】
前記第１の実施形態では、構成する前記ステップは有利には、
登録する前記要求の送信のために宛先アドレスを用いて前記無線アクセス・ネットワーク・エンティティを構成するステップを含む。
【００２０】
前記第１の実施形態では、登録する前記ステップは有利には、
前記移動性管理エンティティおよび／またはページング調整エンティティによって登録要求を受信すると、前記ＲＡＮエンティティと前記移動性管理／ページング調整エンティティの間の相互認証を実施するステップを含む。
【００２１】
前記第１の実施形態では、登録する前記ステップは有利には、
登録要求を受け付けると、前記無線アクセス・ネットワーク・エンティティへの移動性管理および／またはページング調整メッセージの送信のために宛先アドレスを用いて前記移動性管理エンティティおよび／またはページング調整エンティティを構成するステップを含む。
【００２２】
第２の実施形態では、ＩＰマルチキャスト能力を有するトランスポート・ネットワーク内で、登録する前記ステップは、
移動性管理および／またはページング調整メッセージの受信のために、無線アクセス・ネットワーク・エンティティが、前記少なくとも１つのトラッキング・エリアに関連するＩＰマルチキャスト・グループに登録するステップを含む。
【００２３】
前記第２の実施形態では、登録する前記ステップは有利には、
ＩＰマルチキャスト・アドレスを前記トラッキング・エリアに関連付けるステップを含む。
【００２４】
前記第２の実施形態では、関連付ける前記ステップは有利には、
前記トラッキング・エリアに関連するドメイン名をＩＰマルチキャスト・アドレスに変換するためにドメイン・ネーム・サーバに問い合わせるステップを含む。
【００２５】
前記第２の実施形態では、関連付ける前記ステップは有利には、
すべてのＲＡＮ、ならびに移動性管理および／またはページング調整エンティティ上で構成された事前定義されたパターン、ならびにトラッキング・エリアの識別に基づいて、前記トラッキング・エリアに関連するＤＮＳ名を自動的に構築するステップを含む。
【００２６】
これらおよび他の目的は、本発明の別の態様では、
前記無線アクセス・ネットワーク・エンティティを、それが関連付けられるべき少なくとも１つのトラッキング・エリアを用いて構成すると、前記少なくとも１つのトラッキング・エリアについて、前記無線アクセス・ネットワーク・エンティティを移動性管理機能および／またはページング調整機能に登録する手段を含む無線アクセス・ネットワーク・エンティティによって達成される。
【００２７】
第１の実施形態では、登録する前記手段は、
前記少なくとも１つのトラッキング・エリアについて、前記移動性管理機能および／またはページング調整機能を担う少なくとも１つの移動性管理エンティティおよび／またはページング調整エンティティに登録する手段を含む。
【００２８】
前記第１の実施形態では、登録する前記手段は有利には、
前記移動性管理エンティティおよび／またはページング調整エンティティに登録要求を送信する手段を含む。
【００２９】
前記第１の実施形態では、登録する前記手段は有利には、
移動性管理エンティティおよび／またはページング調整エンティティによって登録要求を受信すると、前記ＲＡＮエンティティと前記移動性管理／ページング調整エンティティの間の認証を実施する手段を含む。
【００３０】
第２の実施形態では、ＩＰマルチキャスト能力を有するＩＰベース・トランスポート・ネットワークでは、登録する前記手段は、
移動性管理および／またはページング調整メッセージの受信のために、前記少なくとも１つのトラッキング・エリアに関連する１Ｐマルチキャスト・グループに登録する手段を含む。
【００３１】
前記第２の実施形態では、登録する前記手段は有利には、
ＩＰマルチキャスト・アドレスを前記トラッキング・エリアに関連付ける手段を含む。
前記第２の実施形態では、関連付ける前記手段は有利には、
前記トラッキング・エリアに関連するドメイン名をＩＰマルチキャスト・アドレスに変換するためにドメイン・ネーム・サーバに問い合わせる手段を含む。
【００３２】
前記第２の実施形態では、登録する前記手段は有利には、
すべてのＲＡＮ、ならびに移動性管理および／またはページング調整エンティティ上で構成された事前定義されたパターン、ならびにトラッキング・エリアの識別に基づいて、前記トラッキング・エリアに関連するＤＮＳ名を自動的に構築する手段を含む。
【００３３】
本発明の別の態様では、これらおよび他の目的は、第１の実施形態で、
少なくとも１つのトラッキング・エリアについて無線アクセス・ネットワーク・エンティティを移動通信ネットワークのエンティティに登録する手段を含む、前記少なくとも１つのトラッキング・エリアについて移動性管理機能および／またはページング調整機能を担う移動通信ネットワークの前記エンティティによって達成される。
【００３４】
前記第１の実施形態では、登録する前記手段は、
前記無線アクセス・ネットワーク・エンティティから登録要求を受信する手段を含む。
前記第１の実施形態では、登録する前記手段は有利には、
前記無線アクセス・ネットワーク・エンティティからの登録要求を受信すると、ＲＡＮエンティティと前記移動性管理／ページング調整エンティティの間の認証を実施する手段を含む。
【００３５】
前記第１の実施形態では、登録する前記手段は有利には、
登録要求を受け付けると、前記無線アクセス・ネットワーク・エンティティへの移動性管理および／またはページング調整メッセージの送信のために、ＴＡに関連するＲＡＮエンティティ・リスト内にＲＡＮエンティティ宛先アドレスを追加すること、または削除することによって前記エンティティを構成する手段を含む。
【００３６】
本発明の別の態様では、これらおよび他の目的は、第２の実施形態において、ＩＰマルチキャスト能力を有するＩＰベース・トランスポート・ネットワーク内で、
ＩＰマルチキャスト・アドレスを前記トラッキング・エリアに関連付ける手段を含む、少なくとも１つのトラッキング・エリアについて移動性管理機能および／またはページング調整機能を担う移動通信ネットワークのエンティティによって達成される。
【００３７】
前記第２の実施形態では、関連付ける前記手段は有利には、
前記トラッキング・エリアに関連するドメイン名をＩＰマルチキャスト・アドレスに変換するためにドメイン・ネーム・サーバに問い合わせる手段を含む。
【００３８】
前記第２の実施形態では、関連付ける前記手段は有利には、
すべてのＲＡＮ、ならびに移動性管理および／またはページング調整エンティティ上で構成された事前定義されたパターン、ならびにトラッキング・エリアの識別に基づいて、前記トラッキング・エリアに関連するＤＮＳ名を自動的に構築する手段を含む。
【００３９】
本発明のこれらおよび他の目的は、添付の図面と併せて考慮される以下の説明から、より明らかになる。
【発明を実施するための最良の形態】
【００４０】
本発明は、以下のように説明することもできる。
本発明は、特に次世代アーキテクチャへと進化するという状況において、トラッキング・エリアを用いて移動通信ネットワークの構成を向上させかつ／または単純化することが求められていることを認識している。
【００４１】
特に本発明は、構成プロセスにいくらかの自動性を取り入れることが求められていることを認識している。
【００４２】
特に本発明は、ＲＡＮエンティティの移動性管理機能および／またはページング調整機能への自動登録の概念を取り入れる。
【００４３】
以下では、ＥＮＢに対応するＲＡＮエンティティ、およびＰＣ機能の実施例についてより具体的に述べるが、しかし、本発明は、こうした実施例に限定されないことに留意されたい。
【００４４】
こうした実施例では、本発明は、ＥＮＢ（あるいは基地局または等価のノード）をそのトラッキング・エリア構成データを用いて適切なページング調整機能（ＰＣ）に自動登録することを提供する。この登録は、ＥＮＢの開始で、周期的に実施されても、任意のときに実施されてもよい。ＥＮＢは、ＲＡＮオペレータによって、それがサポートするセルに対応するトラッキング・エリアを用いて構成される。次いで、ＥＮＢは、ページング調整機能に登録し、それによって、ページングのために、それ（ＥＮＢ）がこの／これらのＴＡに関連付けられるべきであることを示す。
【００４５】
本発明は、たとえばＥＮＢなどのＲＡＮエンティティを、たとえばＰＣ機能などの機能にこうした自動登録を行うための異なる実施形態をさらに提供する。
【００４６】
第１の実施形態は、アプリケーション・レベルの登録とも呼ばれる。この第１の実施形態による方法の一例が、図３に示されている。
【００４７】
ステップ１に示されるように、ＥＮＢ（またはいずれかのＲＡＮノード）は、ＲＡＮオペレータによって、それがサポートするセル、およびその関連するトラッキング・エリアを用いて構成される。トラッキング・エリアは、ＧＳＭネットワークの位置エリアおよびルーティング・エリアなど、移動体登録−ページングのために定義された任意のモビリティ・エリアであり得る。各トラッキング・エリアについて、ＥＮＢは、ＲＡＮオペレータによって、このトラッキング・エリアを管理するＰＣＥのアドレスを用いてやはり構成される。ＥＮＢの開始で、ステップ２に示されるように、ＥＮＢは、周期的にまたは他の任意のときに、ＰＣＥにトラッキング・エリア登録メッセージまたは登録要求を送信する。それぞれのＰＣＥは、ステップ３に示されるように、偽のＥＮＢによる登録を防止するために適切な認証を実施してもよい。ステップ４に示されるように、ＰＣＥは、ＥＮＢからのトラッキング・エリア登録要求を受け付け、または拒否する。登録要求が受け付けられる場合は、ＰＣＥは、ステップ５に示されるように、トラッキング・エリアに関連する無線アクセス・ネットワーク・エンティティ・リスト内にＥＮＢアドレスを追加する（かつ／または登録メッセージ内の情報によっては恐らく削除する）。ＵＥがページングされる必要があるとき、ＰＣＥは、所与のＴＡ上でＵＥをページングするために呼び出される。ＰＣＥは、ステップ６で示されるように、トラッキング・エリアについて登録したすべてのＥＮＢに通知する。ＥＮＢは、ステップ７に示されるように、トラッキング・エリアに対応するセル上でＵＥをページングする。
【００４８】
第２の実施形態は、トランスポート・レベルの登録とも呼ばれる。この第２の実施形態による方法の一例が、図４に示されている。
【００４９】
この第２の実施形態は、トランスポート・ネットワークのＩＰマルチキャスト能力を使用する。ＩＰプロトコルおよびその関連するＩＰマルチキャスト能力についての詳細は、ここでは想起されない。こうした詳細は、特にインターネット・グループ管理プロトコル（ＩＧＭＰ：Ｉｎｔｅｒｎｅｔ  Ｇｒｏｕｐ  Ｍａｎａｇｅｍｅｎｔ  Ｐｒｏｔｏｃｏｌ）用のＲＦＣ  ２２３６など、特にＩＥＴＦ（Ｉｎｔｅｒｎｅｔ  Ｅｎｇｉｎｅｅｒｉｎｇ  Ｔａｓｋ  Ｆｏｒｃｅ：インターネット技術タスク・フォース）によって公表された文献で見ることができる。
【００５０】
この第２の実施形態では、ＥＮＢは、それがサポートするセルのＴＡに関連するＩＰマルチキャスト・アドレスに登録する。ＵＥは、ＰＣＥによって、ＵＥが登録されているＴＡに対応するＩＰマルチキャスト・アドレスに送信されるページング・メッセージを介してページングされる。換言すると、この第２の実施形態は、この自動登録を実施するために、ＩＰマルチキャスト機構を使用する。
【００５１】
換言すると、この第２の実施形態では、それぞれのトラッキング・エリアは、マルチキャスト・アドレスに関連付けられる。それぞれのＥＮＢは、ＥＮＢが関連付けられるトラッキング・エリアに関連する各マルチキャスト・アドレスに登録する。トラッキング・エリア内のＵＥをページングしたいＰＣＥは、このトラッキング・エリアに対応するマルチキャスト宛先アドレスを付けてマルチキャストＩＰメッセージを送信する。
【００５２】
有利には、図４に示されるように、「ＬＡｘｙ」（ｘｙは、位置／トラッキング・エリアの数である）など、位置／トラッキング・エリアに関連するＩＰマルチキャスト・アドレスが、ＥＮＢ／ＰＣＥによって、ドメイン・ネーム・サーバ（ＤＮＳ）から自動的に学習される。ＥＮＢ／ＰＣＥは、（ステップ１０、１１に示されるように）位置／トラッキング・エリア「ＬＡｘｙ」に関連するＤＮＳ名を自動的に構築し、（ステップ１２、１３に示されるように）このＤＮＳ名からの変換のためにＤＮＳに問い合わせ、（ステップ１４および１５に示されるように）結果として、トラッキング・エリアに関連付けられるべきＩＰマルチキャスト・アドレスを取得する。（ステップ１６に示されるように）ＥＮＢは、たとえばＩＧＭＰプロトコル（ＩＰｖ４が使用される場合）、またはたとえばＭＬＤ（ＩＰｖ６が使用される場合）を使用して、このＩＰマルチキャスト・アドレスに登録する。（ステップ１７に示されるように）トラッキング・エリアに関連付けられるべきＩＰマルチキャスト・アドレスは、ＰＣＥによって、この位置／トラッキング・エリア「ＬＡｘｙ」上のページング要求の送信のために使用される。ステップ１８に示されるように、ＥＮＢは、トラッキング・エリアに関連するＩＰマルチキャスト・アドレス上のページング要求を受信すると、このトラッキング・エリアに対応するセル上でＵＥをページングする。
【００５３】
有利には、ＤＮＳ名は、「ＬＡｘｙ」のようなパターンを有する、すべてのＥＮＢ／ＰＣＥ内のＯ＆Ｍによって構成された固定のパターン（すべてのＥＮＢ／ＰＣＥに有効であるような単純な構成）を使用して構成される。利点は、ＰＣＥからＥＮＢへの特定のＩＰマルチキャスト構成メッセージを定義する必要がないということである。
【００５４】
また本発明は、たとえば図３または４に関連して上記で開示したように、その目的のために、無線アクセス・ネットワーク・エンティティと、本発明による方法を実施する手段を含む移動性管理機能および／またはページング調整機能を担うエンティティとを有する。
【００５５】
上記手段の詳細な実装形態は、当業者にとって特別な問題を提起するものではなく、したがって、こうした手段は、当業者には、その機能別に上記でなされたものよりも完全に開示される必要はない。
【図面の簡単な説明】
【００５６】
【図１】移動通信ネットワークの階層アーキテクチャの一例を想起するための図である。
【図２】本明細書が適用され得る次世代ネットワークのアーキテクチャの一例を示すための図である。
【図３】第１の実施形態による、本発明による方法の一例を示すための図である。
【図４】第２の実施形態による、本発明による方法の一例を示すための図である。
【図１】
0005607305.tif 000002
【図２】
0005607305.tif 000003
【図３】
0005607305.tif 000004
【図４】
0005607305.tif 000005